(57)【特許請求の範囲】
【請求項１】
観賞魚水槽の上部に載置される平面長方形状のケースの一方の端部から他方の端部に向けて順に受水室と第１濾過室と揚水室と第２濾過室と出水室を区画形成し、前記受水室は前記水槽内から汲み上げた水を該受水室内へ吹き出す吹出口を該受水室の底面に設けるとともに該吹出口から吹き出した水を該受水室と前記第１濾過室とを仕切っている堰板の上部から溢れ出させて前記第１濾過室に流入させる上部流入開口を形成し、前記第１濾過室内および前記第２濾過室内には濾材を配設し、前記揚水室は該揚水室と前記第１濾過室とを仕切っている堰板の下端縁に第１底部開口を形成するとともに該揚水室と前記第２濾過室とを仕切っている堰板の上端縁に溢出口を形成して該揚水室から前記第２濾過室に水が溢れ出るようにし、前記第２濾過室と前記出水室とを仕切っている堰板の下部に第２底部開口を形成し、前記出水室には該出水室の水を前記水槽に戻す流出菅を該出水室の底面に流出口が開口するように設けてなることを特徴とする観賞魚水槽の上部設置用濾過装置。
【請求項２】
前記受水室と前記第１濾過室とを仕切っている堰板の上端縁に前記吹出口と相対する当板を設け、該吹出口から吹き出して該当板に当たった水が該当板の上部を迂回し前記上部流入開口から前記第１濾過室に流入するようにしたことを特徴とする請求項１に記載した観賞魚水槽の上部設置用濾過装置。
【請求項３】
前記上部流入開口の上縁部に下向きに傾斜した庇形のガイド板を設けたことを特徴とする請求項１または２に記載した観賞魚水槽の上部設置用濾過装置。
【発明の詳細な説明】
【技術分野】
【０００１】
本発明は、観賞魚用水槽の水を浄化するために該水槽の上部に設置される濾過装置に関するものである。
【背景技術】
【０００２】
観賞魚水槽の上部に設置され、該水槽の水を循環させて浄化する濾過装置は、従来は例えば下記特許文献１に示されたように、濾紙とフエルトとスポンジ等からなる多層の濾過層を設け、その上に複数の吹出口が開設されたパイプを配設し、ポンプによって汲み上げられた該水槽内の水を該吹出口から噴出させることで該水が該濾過層の上に均一に散布されるようにしたものであった。
また、下記特許文献２に示された濾過装置は、水槽内から汲み上げた水を平面長方形状のケースの中間部に吐出させ、その両側に濾過室を形成し、該濾過室に配置された濾材に対し下側から水を浸透させ、その水が該ケースの両端部から水槽内に戻されるようにしたものである。
【先行技術文献】
【特許文献】
【０００３】
【特許文献１】特開２０１３−１６９２０８号公報
【特許文献２】特開２００６−２３０２１２号公報
【発明の開示】
【発明が解決しようとする課題】
【０００４】
ところで、水槽内の水を観賞魚の飼育に適した清浄な状態に保つためには、濾過装置に可能な限り水を多量に循環させることが望ましいが、特許文献１に示された濾過装置のように複数の吹出口が形成されたパイプから濾過層の上に水を吐出させるものでは、水量を多くすると周囲に水が飛散するとともに騒音が発生し睡眠の邪魔になるので、循環水量を多く出来ないといった問題がある。
また、特許文献２に示された濾過装置のように、濾材に対し下側から水を浸透させる方式では、水圧が掛かり難いので、水の循環量を多くできないといった問題がある。
【課題を解決するための手段】
【０００５】
本発明に係る観賞魚水槽の上部設置用濾過装置は上記課題を解決しようとするもので、観賞魚水槽の上部に載置される平面長方形状のケースの一方の端部から他方の端部に向けて順に受水室と第１濾過室と揚水室と第２濾過室と出水室を区画形成し、前記受水室は前記水槽内から汲み上げた水を該受水室内へ吹き出す吹出口を該受水室の底面に設けるとともに該吹出口から吹き出した水を該受水室と前記第１濾過室とを仕切っている堰板の上部から溢れ出させて前記第１濾過室に流入させる上部流入開口を形成し、前記第１濾過室内および前記第２濾過室内には濾材を配設し、前記揚水室は該揚水室と前記第１濾過室とを仕切っている堰板の下端縁に第１底部開口を形成するとともに該揚水室と前記第２濾過室とを仕切っている堰板の上端縁に溢出口を形成して該揚水室から前記第２濾過室に水が溢れ出るようにし、前記第２濾過室と前記出水室とを仕切っている堰板の下部に第２底部開口を形成し、前記出水室には該出水室の水を前記水槽に戻す流出菅を該出水室の底面に流出口が開口するように設けてなることを特徴とする。
また本発明は、前記吹出口に内径がテーパ状に拡開することで水勢を減衰させる径違ソケットを設けたことを特徴とする。
また本発明は、前記受水室と前記第１濾過室とを仕切っている堰板の上端縁に前記吹出口と相対する当板を設け、該吹出口から吹き出して該当板に当たった水が該当板の上部を迂回し前記上部流入開口から前記第１濾過室に流入するようにしたことを特徴とする。
また本発明は、前記上部流入開口の上縁部に下向きに傾斜した庇形のガイド板を設けたことを特徴とする。
【発明の効果】
【０００６】
本発明に係る観賞魚水槽の上部設置用濾過装置によれば、大きな騒音を発生させることなく、水の循環量を十分に確保でき、所期の濾過性能を得ることができる。
【図面の簡単な説明】
【０００７】
【図１】本発明の実施形態を示した観賞魚水槽とその上部設置用濾過装置の外観斜視図。
【図２】本発明の実施形態を示した上部設置用濾過装置の縦断面図。
【図３】図２のＡ−Ａ線断面図。
【図４】図２のＢ−Ｂ線断面図。
【図５】図２のＣ−Ｃ線断面図。
【図６】図２のＤ−Ｄ線断面図。
【発明を実施するための最良の形態】
【０００８】
次に本発明の実施形態を図面に従い説明する。図１に示したように、本発明に係る濾過装置１は、観賞魚水槽２の上部に載置され、水中ポンプ３によって汲み上げられた水が該濾過装置１内を通ることにより浄化されて他端部の流出菅４から該水槽１に戻されるようにしている。該濾過装置１は、図２，図３に示したように、平面長方形状のケース５の一方の端部から他方の端部に向けて順に受水室６と第１濾過室７と揚水室８と第２濾過室９と出水室１０を形成してなる。
【０００９】
受水室６は、堰板１１により前記第１濾過室７と仕切られており、内径がテーパ状に拡開した径違ソケット１２がその吹出口１３を上向きとして該受水室６の底面に固設され、下方に突出した該径違ソケット１２の下端部に前記水中ポンプ３と連なるホース１４が配設され、水槽２から汲み上げられた水が該吹出口１３から上向きに吐出する。径違ソケット１２は吹出口１３に向けて内径がテーパ状に拡開しているもので、これにより該径違ソケット１２内を流れる水の速度が吹出口１３に至るまでに下がり、吹出口１３より吹き出す水の勢を減衰させる。また、堰板１１の上端縁に吹出口１３と相対するように当板１５が水平に設けられ、該吹出口１３から吹き出した水は該当板１５の下面に当たる。また、該当板１５に当たった水は、該当板１５とケース５内面との間の隙間１６を通って矢印で示したように該当板１５の上部を迂回し、該堰板１１の上部に形成された上部流入開口１７から溢れ出て前記第１濾過室７に流入し得るようにしている。また、該上部流入開口１７の上縁部に下向きに傾斜した庇形のガイド板１８が設けられ、該上部流入開口１７から吐出した水は該ガイド板１８により下向きに案内される。なお、該ガイド板１８は、該受水室６の上部を塞いでいる水平な閉板１９の一端縁に形成され、ガイド板１８と該閉板１９とにより該上部流入開口１７が覆われ、該ガイド板１８の先端が堰板１１の上縁よりも少し下まで延びていることで、常態では該受水室６は吹出口１３から吹き出した水によって満たされ、該受水室６に空気が入らないことで、吹出口１３から受水室６に勢い良く水が吐出しても気泡が生じず騒音を出さない。なお、ケース５の上面全体は着脱自在な蓋板２０により覆われている。
【００１０】
第１濾過室７と揚水室８とは堰板２１により仕切られ、該堰板２１の下端縁には該ケース５の下面との間に隙間を設けることで第１底部開口２２を形成している。該堰板２１の上縁と前記蓋板２０との間は離間している。そして、グラスウールや布織布等によりマット状に形成された濾材２３が該第１濾過室７内に配設される。
【００１１】
揚水室８と第２濾過室９とは前記堰板２１よりも背の低い堰板２４により仕切ることにより溢出口２５が形成されるようにしている。また、該第２濾過室９と出水室１０とは該堰板２４と同じ高さの堰板２６により仕切られている。そして該第２濾過室９内にグラスウールや布織布等によりマット状に形成された濾材２７を配設している。なお、該堰板２６の下半部には、複数のスリット状の開口からなる第２底部開口２８を形成している。そして、出水室１０の底面に流出口２９が開口するように二つの直菅状のソケット３０を設け、該ソケット３０の下端部に前記流出菅４を接合することにより、該出水室１０の水が該流出菅４を通して前記水槽２に流出するようにしている。
【００１２】
このように構成した濾過装置では、水槽２内から汲み上げられた水が径違ソケット１２を通ることにより減速され、さらに吹出口１３から吐出した水が当板１５に当たり該当板１５の上部を迂回することで流れが緩やかになって上部流入開口１７から第１濾過室７へ流れ出る。このため、水中ポンプ３により加圧されて勢いが付いた水が受水室６に流入しても騒音を発することなく、循環水量を大きくすることができる。第１濾過室７へ流れ出た水は、濾材２３により浄化されつつ沈降し、第１底部開口２２から揚水室８に流れ出て該揚水室８内を上昇する。そして、溢出口２５から第２濾過室９に溢れ出た水は濾材２７により浄化されつつ該第２濾過室９を沈降し、第２底部開口２８を通って出水室１０に流れ出て、前記流出菅４から前記水槽２に流出する。
【００１３】
このように水槽２内から汲み上げられた水は、第１濾過室７と第２濾過室９をいずれも水の自重で上から下へと流れることにより浄化されるようにしたので、流水に対する抵抗が少ない。このためこの濾過装置は、循環水量を大きく設定することができ、しかもその水を両濾過室７，９にて濾過するので、両濾過室７，９の濾材２３，２７を適宜選択することで、目詰まりし難く、しかも高い濾過性能が発揮され、メンテナンスも容易となる。
【００１４】
なお、この濾過装置では、仮に第１濾過室７にその濾過能力を超える過剰な水が流れ込んだとしても、その水は堰板２１の上縁から揚水室８にオーバーフローする。また、第２濾過室６にその濾過能力を超える水が流れ込んでも、その水は堰板２６の上縁から出水室１０にオーバーフローし、水槽２に戻されるので、濾材２３，２７の通水性が低下しても水の循環に支障が出ることはなく、水槽２から常に十分な量の水を汲み上げて循環させることができる。
【符号の説明】
【００１５】
１          濾過装置
２          観賞魚水槽
３          水中ポンプ
４          流出菅
５          ケース
６          受水室
７          第１濾過室
８          揚水室
９          第２濾過室
１０        出水室
１１        堰板
１２        径違ソケット
１３        吹出口
１４        ホース
１５        当板
１６        隙間
１７        上部流入開口
１８        ガイド板
１９        閉板
２０        蓋板
２１        堰板
２２        第１底部開口
２３，２７  濾材
２４，２６  堰板
２５        溢出口
２８        第２底部開口
２９        流出口
３０        ソケット
【図１】
0006506631.tif 000002
【図２】
0006506631.tif 000003
【図３】
0006506631.tif 000004
【図４】
0006506631.tif 000005
【図５】
0006506631.tif 000006
【図６】
0006506631.tif 000007